(57)【要約】【課題】電池蓋の紛失および破損を防止するとともに電池交換の作業性向上を図る情報端末装置を提供する。【解決手段】引込機構３０は、ケーブル側コネクタ３３が一側端に固定されるケーブル３２を、ハウジング３１の内部に引き込み可能に付勢しかつ当該ハウジング３１の内部から引き出し可能に構成されている。また、電池蓋４０には、ケーブル側コネクタ３３に係脱可能な蓋側コネクタ５０が固定されている。そして、電池蓋４０および引込機構３０は、電池ボックス２０の開口部２２が電池蓋４０により閉塞されるときに、引込状態においてケーブル側コネクタ３３と蓋側コネクタ５０とが係合するように、位置合わせされている。【選択図】図２
2010003428.tif 000002
【特許請求の範囲】
【請求項１】
電力供給源となる電池を収容可能な空間部およびこの空間部から前記電池を取出可能な開口部を有する電池収容部と、前記開口部を閉塞可能な電池蓋と、を備える情報端末装置であって、
係合部材と、この係合部材が一側端に固定されるケーブルと、このケーブルが内部に引き込み可能に付勢されかつ当該内部から引き出し可能な引込機構とを備え、
前記電池蓋には、前記係合部材に係脱可能な被係合部材が固定され、
前記開口部が前記電池蓋により閉塞されるときに、前記ケーブルが前記引込機構の内部に引き込まれた引込状態において前記係合部材と前記被係合部材とが係合するように、前記電池蓋と前記引込機構とが位置合わせされていることを特徴とする情報端末装置。
【請求項２】
前記引込機構は、回転自在に支持され前記ケーブルの他側端が固定される巻取軸と、この巻取軸を巻取回転方向に付勢する付勢部材とを備え、前記付勢部材により前記巻取軸を前記巻取回転方向に付勢して回転させることにより前記ケーブルを内部に引き込み可能に構成されることを特徴とする請求項１に記載の情報端末装置。
【請求項３】
前記ケーブルは伸縮可能に形成されることを特徴とする請求項１または２に記載の情報端末装置。
【請求項４】
前記係合部材および前記被係合部材のうち、一方の部材には挿入用開口部が形成されるとともに他方の部材には前記挿入用開口部に挿入可能な挿入部が形成され、
前記挿入用開口部の挿入側には、挿入方向に挿入される前記挿入部を案内可能な案内面と前記案内面により案内されて係合した前記挿入部に当接して当該挿入部の反挿入方向への移動を抑制可能な抜止面とを有する１または複数の突出部が形成されることを特徴とする請求項１〜３のいずれか一項に記載の情報端末装置。
【請求項５】
前記一方の部材には、前記挿入用開口部の側面を構成する周壁の反挿入側の外周面から一対の突起が互いに逆方向に突出するように形成されることを特徴とする請求項４に記載の情報端末装置。
【請求項６】
前記係合部材および前記被係合部材のうち、一方の部材には挿入用開口部が形成されるとともに他方の部材には前記挿入用開口部に挿入可能な挿入部が形成され、
前記係合部材および前記被係合部材は、前記挿入用開口部の内周面および前記挿入部の外周面の一方に形成される凸部が他方に形成される凹部に嵌合することにより、係合することを特徴とする請求項１〜３のいずれか一項に記載の情報端末装置。
【請求項７】
前記引込機構は、前記電池を前記空間部から取り出すときに使用者により引き起こされる当該電池の引起部から離間するように配置されることを特徴とする請求項１〜６のいずれか一項に記載の情報端末装置。
【発明の詳細な説明】
【技術分野】
【０００１】
本発明は、電力供給源となる電池を収容可能な空間部およびこの空間部から当該電池を取出可能な開口部を有する電池収容部と、この開口部を閉塞可能な電池蓋と、を備える情報端末装置に関するものである。
【背景技術】
【０００２】
一次電池や二次電池等を主電源とした装置は、通常、これらの電池を収容可能な空間部を備えており、一般的には、このような空間部に収容された電池を外部から容易に交換できるように当該空間部に外部空間と連通する開口部を設けるとともに、この開口部を閉塞可能な電池蓋を設けている。このような電池収容部を備える装置として、例えば、下記特許文献１に開示される「電子機器」がある。
【０００３】
この電子機器は、バッテリー（電池）を収容する筐体（電池収容部）と蓋部とが中継部材を介して連結されている。この中継部材は、そのボスを筐体のガイド部に嵌入させることにより当該筐体に対して回動可能および摺動可能に連結されるとともに、その軸受爪に蓋部のボスがはめ込まれることにより当該蓋部に対して回動可能に連結されている。これにより、蓋部が筐体に対して１８０°開くように構成されることとなる。また、このように筐体と蓋部とを中継部材を介して連結することにより、蓋部の紛失を防止している。
【特許文献１】特開平０６−００５０６３号公報
【発明の開示】
【発明が解決しようとする課題】
【０００４】
しかしながら、上述のような電池蓋と電池収容部との連結構造では、例えば、電池収容部に収容されている電池を交換する際に誤って電池蓋が開いた状態で落下した場合、落下の衝撃により電池蓋や電池蓋と電池収容部とを連結する連結部分が破損してしまうという問題がある。また、連結構造として、例えば、蝶番等を採用した場合であっても、同様の問題が発生する。
【０００５】
一方、連結部分の破損をなくすために、電池蓋と電池収容部とを例えばケーブルで連結することが考えられる。しかしながら、電池交換の際にケーブル等が邪魔になる場合があり、この場合には電池交換の作業性が低下するという問題がある。さらに、電池収容部の開口部を電池蓋で閉塞する際に電池蓋と電池収容部との間にケーブル等が噛み込んでしまうと、ケーブル等の断線や電池収容部に対する防水性能の低下という問題が発生する。
【０００６】
本発明は、上述した課題を解決するためになされたものであり、その目的とするところは、電池蓋の紛失および破損を防止するとともに電池交換の作業性向上を図る情報端末装置を提供することにある。
【課題を解決するための手段】
【０００７】
上記目的を達成するため、特許請求の範囲に記載の請求項１の情報端末装置では、電力供給源となる電池（Ｂ）を収容可能な空間部（２１）およびこの空間部から前記電池を取出可能な開口部（２２）を有する電池収容部（２０）と、前記開口部を閉塞可能な電池蓋（４０）と、を備える情報端末装置（１０）であって、係合部材（３３）と、この係合部材が一側端に固定されるケーブル（３２）と、このケーブルが内部に引き込み可能に付勢されかつ当該内部から引き出し可能な引込機構（３０）とを備え、前記電池蓋には、前記係合部材に係脱可能な被係合部材（５０）が固定され、前記開口部が前記電池蓋により閉塞されるときに、前記ケーブルが前記引込機構の内部に引き込まれた引込状態において前記係合部材と前記被係合部材とが係合するように、前記電池蓋と前記引込機構とが位置合わせされていることを技術的特徴とする。
【発明の効果】
【０００８】
請求項１の発明では、引込機構は、係合部材が一側端に固定されるケーブルを、内部に引き込み可能に付勢しかつ当該内部から引き出し可能に構成されている。また、電池蓋には、係合部材に係脱可能な被係合部材が固定されている。そして、電池蓋および引込機構は、開口部が電池蓋により閉塞されるときに、引込状態において係合部材と被係合部材とが係合するように、位置合わせされている。
【０００９】
これにより、電池収容部の電池を交換するために電池蓋を開くときには、引込機構からケーブルが引き出されて係合部材と被係合部材との係合状態が維持される。このため、係合部材、被係合部材およびケーブルを介して電池蓋と引込機構とが連結された状態が維持されるので、電池蓋の紛失をなくすことができる。
【００１０】
また、引込機構にケーブル等を介して連結される電池蓋により電池収容部の開口部を閉塞する場合には、引込機構の付勢力によりケーブルが当該引込機構の内部に引き込まれるので、電池蓋と電池収容部との間にケーブルが噛み込まれることもない。
【００１１】
さらに、電池の交換作業の際に、誤って電池蓋を開いたまま情報端末装置を落下させたとしても、ケーブルが引込機構の内部に引き込まれるので、電池蓋が閉塞状態または閉塞に近い状態で落下する。このため、電池蓋が開いた状態で落下する場合と比較して、電池蓋に加わる落下による衝撃が小さくなるので、電池蓋の破損を防止することができる。
【００１２】
また、電池の交換作業の際にケーブルが邪魔になる場合には、係合部材と被係合部材との係合を解除してケーブルを引込機構の内部に引き込ませることにより、電池交換の作業性が向上する。
【００１３】
したがって、電池蓋の紛失および破損を防止するとともに電池交換の作業性向上を図ることができる。
なお、電池蓋に固定される被係合部材は、電池蓋に対して別体として成形されてもよいし、一体成形されてもよい。
【００１４】
請求項２の発明では、引込機構は、回転自在に支持されケーブルの他側端が固定される巻取軸と、この巻取軸を巻取回転方向に付勢するぜんまいばね等の付勢部材とを備えている。そして、当該引込機構は、付勢部材により巻取軸を巻取回転方向に付勢して回転させることによりケーブルを内部に引き込み可能に構成されている。
【００１５】
これにより、モータ等の駆動源を用いることなくケーブルを引込機構の内部に引き込むことができるので、引込機構を採用することによる情報端末装置の製造コストの増加および大型化を抑制することができる。
【００１６】
請求項３の発明では、ケーブルは、伸縮可能に形成されている。これにより、ケーブルを引込機構の内部から引き出す場合には当該ケーブルが伸長し、ケーブルを引込機構の内部に引き込む場合には伸長したケーブルが短縮して元の長さに戻る。このため、ケーブルを引込機構の内部に引き込みやすくなり、上述したケーブルの噛み込みを確実に防止することができる。
【００１７】
特に、引張力が作用しない状態では引込機構の内部に収まる長さのケーブルを採用した場合には、上述したモータ等の駆動源や巻取軸を付勢する付勢部材等を採用することなく、引込機構を構成することができ、引込機構を採用することによる情報端末装置の製造コストの増加および大型化をさらに抑制することができる。
【００１８】
請求項４の発明では、係合部材および被係合部材のうち、一方の部材には挿入用開口部が形成されるとともに他方の部材には挿入用開口部に挿入可能な挿入部が形成されている。そして、挿入用開口部の挿入側には、挿入方向に挿入される挿入部を案内可能な案内面と、案内面により案内されて係合した挿入部に当接して当該挿入部の反挿入方向への移動を抑制可能な抜止面と、を有する１または複数の突出部が形成されている。
【００１９】
このように、挿入用開口部に対して挿入方向に挿入される挿入部を案内可能な案内面を有する突出部が挿入用開口部の挿入側に形成されているので、突出部を形成する場合であっても挿入部がこの突出部を乗り越えることが容易になり、係合部材と被係合部材とを容易に係合させることができる。
【００２０】
一方、突出部は、上述のように挿入用開口部に係合した挿入部に当接して当該挿入部の反挿入方向への移動を抑制可能な抜止面を有している。これにより、意図しない挿入部と挿入用開口部との係合の解除、すなわち、意図しない係合部材および被係合部材の係合の解除を抑制することができる。
【００２１】
請求項５の発明では、一方の部材には、挿入用開口部の側面を構成する周壁の反挿入側の外周面から一対の突起が互いに逆方向に突出するように形成されている。このため、一対の突起を互いに近接させる方向に押圧することにより、これら一対の突起が形成される周壁の部位の挿入側に外方への反りが生じる。これにより、この反りが生じる挿入側に形成される突出部が外方へ移動することとなり、係合部材および被係合部材の係合とその解除とを容易にすることができる。
【００２２】
請求項６の発明では、係合部材および被係合部材のうち、一方の部材には挿入用開口部が形成されるとともに他方の部材には挿入用開口部に挿入可能な挿入部が形成されている。そして、係合部材および被係合部材は、挿入用開口部の内周面および挿入部の外周面の一方に形成される凸部が他方に形成される凹部に嵌合することにより、係合する。
【００２３】
このように、凸部と凹部とを嵌合させることにより、係合部材および被係合部材とを確実に係合させることができる。なお、特許請求の範囲において、「凹部」には、貫通部が含まれるものとする。
【００２４】
請求項７の発明では、引込機構は、電池を空間部から取り出すときに使用者により引き起こされる当該電池の引起部から離間するように配置される。これにより、ケーブルを介して電池蓋と電池収容部とが連結されている場合であっても、電池を空間部から取り出す際にケーブルが邪魔になることもない。また、電池の交換作業の際にケーブルに無理な力が加わることを防止することができる。
【発明を実施するための最良の形態】
【００２５】
［第１実施形態］
以下、本発明の情報端末装置をバーコードリーダに適用した第１実施形態について図を参照して説明する。まず、本第１実施形態に係るバーコードリーダ１０の構成概要を図１に基づいて説明する。図１は、本第１実施形態に係るバーコードリーダ１０の構成概要を示す側面図である。図２（Ａ）は、閉塞状態の電池蓋４０および電池ボックス２０を示す一部断面図であり、図２（Ｂ）は、開放状態の電池蓋４０および電池ボックス２０を示す一部断面図である。図３は、蓋側コネクタ５０およびケーブル側コネクタ３３を示す斜視図である。図４（Ａ）、図４（Ｂ）および図５（Ｃ）、図５（Ｄ）は、電池Ｂの交換作業を説明するための説明図である。
【００２６】
図１に示すように、バーコードリーダ１０の外観形状は、主に、本体ハウジング１１、読取口ハウジング１２および電池蓋４０により構成されている。本体ハウジング１１の上端側１１ａには読取口１２ａを有する読取口ハウジング１２が取り付けられている。また、図２（Ａ）、図２（Ｂ）に示すように、本体ハウジング１１の下端側１１ｂには、バーコードリーダ１０の電力供給源となる電池Ｂを収容可能な空間部２１とこの空間部２１から電池Ｂを取出可能な開口部２２とを備え電池収容部として機能する電池ボックス２０が形成されている。そして、電池蓋４０は、この電池ボックス２０の開口部２２を閉塞可能に構成されている。なお、これら本体ハウジング１１、読取口ハウジング１２および電池蓋４０は、例えば、ＡＢＳ樹脂等の合成樹脂からなる。
【００２７】
本体ハウジング１１のほぼ中央側面には、バーコード等の読取対象に対して照射光を照射する際に押圧されるトリガースイッチ１３が設けられている。また、本体ハウジング１１の下端側１１ｂには、読取対象の情報等を入力するための複数のキー１４が設けられるとともに、その隅に、当該バーコードリーダ１０が落下等したときに受ける衝撃を緩和可能なプロテクタ１５が取り付けられている。
【００２８】
図２（Ａ）、図２（Ｂ）に示すように、電池ボックス２０の下端側には、電池蓋４０の係合端４１に係合するための凹部２３と、空間部２１から電池Ｂの引起部Ｂａを引き起こす際に作業者が指を入れるスペースを確保するための段部２４とが形成されている。
【００２９】
また、電池ボックス２０の上端側には、ケーブル３２を出し入れ可能な引込機構３０が配置されており、この引込機構３０は、電池ボックス２０の開口部２２を閉塞する電池蓋４０により覆われるように構成されている。
【００３０】
引込機構３０は、挿通穴３１ａが形成されるハウジング３１と、挿通穴３１ａを挿通するケーブル３２と、ケーブル側コネクタ３３とを備えている。ハウジング３１およびケーブル側コネクタ３３は、例えば、ＡＢＳ樹脂等の合成樹脂からなる。ハウジング３１の挿通穴３１ａ近傍には、ケーブル側コネクタ３３の連結部３３ｂに係合可能な環状段部３１ｂが形成されている。
【００３１】
図３に示すように、ケーブル側コネクタ３３は、略直方体状のコネクタ本体３３ａと、ケーブル３２の一側端に連結される円柱状の連結部３３ｂとが一体となって形成されている。
【００３２】
また、ハウジング３１内には、回転自在に支持される巻取軸（図略）と、この巻取軸を巻取回転方向に付勢するぜんまいばね等の巻取用付勢部材（図略）とを備えており、ケーブル３２の他側端は、巻取軸に巻き取り可能に固定されている。
【００３３】
これにより、例えば、電池蓋４０が閉塞状態でありケーブル３２に引き出し方向の引張力が作用しない場合には、巻取用付勢部材により巻取軸が巻取回転方向に回転するように付勢されて、ケーブル３２がハウジング３１内に引き込まれる（図２（Ａ）参照）。ケーブル３２の全てがハウジング３１内に引き込まれると、ケーブル側コネクタ３３は、その連結部３３ｂにて挿通穴３１ａを塞ぐようにハウジング３１の環状段部３１ｂに係合する状態（以下、引込状態ともいう）になる。
【００３４】
一方、例えば、電池蓋４０が開放されてケーブル３２に引き出し方向の引張力が作用する場合には、この引張力により巻取軸が反巻取回転方向に回転して、ケーブル３２がハウジング３１内から引き出される（図２（Ｂ）参照）。
【００３５】
電池蓋４０は、ほぼ矩形の平板形状に形成されており、当該電池蓋４０の下端側には、電池ボックス２０の凹部２３に係合するための係合端４１が形成されている。また、電池蓋４０の裏面４０ａの上端側には、ケーブル側コネクタ３３に係脱可能な蓋側コネクタ５０が固定されている。この蓋側コネクタ５０は、例えば、ＡＢＳ樹脂等の合成樹脂からなる。
【００３６】
図３に示すように、蓋側コネクタ５０には、挿入用開口部５１が形成されており、この挿入用開口部５１の開口端側（以下、挿入側ともいう）の内周面には２つの突出部５２が対向するように内方に突出して形成されている。また、挿入用開口部５１の側面を構成する周壁の外周面であって、両突出部５２に対して反開口端側（以下、反挿入側ともいう）には、２つの突起５３が互いに逆方向に突出するように形成されている。
【００３７】
両突出部５２は、その挿入側に挿入用開口部５１の内周面に対して挿入方向（図３の上下方向）に傾斜する傾斜面５２ａが形成されるとともに、その反挿入側に挿入用開口部５１の内周面に対して略垂直に抜止面５２ｂが形成されている。
【００３８】
両突出部５２の傾斜面５２ａは、蓋側コネクタ５０とケーブル側コネクタ３３とを係合させるために挿入用開口部５１にコネクタ本体３３ａを挿入するとき、コネクタ本体３３ａの側面に接触して案内することにより、コネクタ本体３３ａが両突出部５２を乗り越えることを容易にする案内面としての機能を有する。
【００３９】
また、両突出部５２の抜止面５２ｂは、挿入用開口部５１に挿入したコネクタ本体３３ａの底面３３ｃに当接することにより、ケーブル側コネクタ３３を抜け止めする面としての機能を有する。
【００４０】
なお、このバーコードリーダ１０は、図示されてはいないが、本体ハウジング１１内に、照射光を発光可能な光源と、バーコード等の読取対象にこの照射光が照射し反射した反射光を読取口１２ａを介して受光可能な受光素子と、この反射光を集光して受光素子の受光面に読取対象の像を結像可能な結像光学系と、受光素子から出力される画像信号をデコード可能なマイコンと、等々の回路部品や光学部品を備えており、マイコン等の回路部品には、電池ボックス２０に収容される電池Ｂから駆動電力が供給されている。
【００４１】
次に、このように構成されるバーコードリーダ１０の電池Ｂの交換作業について、図４（Ａ）、図４（Ｂ）および図５（Ｃ）、図５（Ｄ）を用いて説明する。
まず、図４（Ａ）に示すように、電池Ｂの交換のために、電池蓋４０の開放側である上端側を本体ハウジング１１から取り外して電池ボックス２０の開口部２２を開放状態にする。このとき、蓋側コネクタ５０とケーブル側コネクタ３３とは係合状態であるので、引込機構３０のハウジング３１からケーブル３２が引き出され、電池蓋４０と引込機構３０とのケーブル３２等を介する連結が維持される。
【００４２】
そして、電池Ｂの交換の際にケーブル３２が邪魔になる場合には、図４（Ｂ）に示すように、蓋側コネクタ５０とケーブル側コネクタ３３との係合を解除する。具体的には、蓋側コネクタ５０の両突起５３を互いに近接させる方向に押圧することにより、両突起５３が形成される周壁の部位の挿入側に外方（図３でα方向）への反りが生じる。
【００４３】
これにより、この反りが生じる挿入側に形成される両突出部５２がそれぞれ外方へ移動することとなり、両突出部５２の抜止面５２ｂとケーブル側コネクタ３３のコネクタ本体３３ａの底面３３ｃと当接が解除される。その結果、蓋側コネクタ５０およびケーブル側コネクタ３３の係合が解除される。
【００４４】
上述のように、蓋側コネクタ５０とケーブル側コネクタ３３との係合が解除されると、図５（Ｃ）に示すように、巻取用付勢部材によりケーブル３２の全てがハウジング３１内に引き込まれる。このとき、ケーブル側コネクタ３３は、その連結部３３ｂにてハウジング３１の環状段部３１ｂに係合する引込状態になる。このため、引込状態のケーブル側コネクタ３３は、ハウジング３１に対する位置が固定されることとなる。
【００４５】
そして、電池Ｂを取り替えた後、図５（Ｄ）に示すように、電池蓋４０を本体ハウジング１１に取り付けて電池ボックス２０の開口部２２を閉塞状態にする。具体的には、電池蓋４０の係合端４１を電池ボックス２０の凹部２３に係合させた状態で、蓋側コネクタ５０をケーブル側コネクタ３３に押し付ける。これにより、ケーブル側コネクタ３３のコネクタ本体３３ａが蓋側コネクタ５０の挿入用開口部５１の両突出部５２を乗り越えて係合する。
【００４６】
このとき、コネクタ本体３３ａはその側面にて両突出部５２の傾斜面５２ａに案内されるので、コネクタ本体３３ａが両突出部５２を容易に乗り越えることができる。
【００４７】
以上説明したように、本第１実施形態に係るバーコードリーダ１０では、引込機構３０は、ケーブル側コネクタ３３が一側端に固定されるケーブル３２を、ハウジング３１の内部に引き込み可能に付勢しかつ当該ハウジング３１の内部から引き出し可能に構成されている。また、電池蓋４０の裏面４０ａには、ケーブル側コネクタ３３に係脱可能な蓋側コネクタ５０が固定されている。そして、電池蓋４０および引込機構３０は、電池ボックス２０の開口部２２が電池蓋４０により閉塞されるときに、引込状態においてケーブル側コネクタ３３と蓋側コネクタ５０とが係合するように、位置合わせされている。
【００４８】
これにより、電池ボックス２０の電池Ｂを交換するために電池蓋４０を開くときには、引込機構３０のハウジング３１からケーブル３２が引き出されてケーブル側コネクタ３３と蓋側コネクタ５０との係合状態が維持される。このため、ケーブル側コネクタ３３、蓋側コネクタ５０およびケーブル３２を介して電池蓋４０と引込機構３０とが連結された状態が維持されるので、電池蓋４０の紛失をなくすことができる。
【００４９】
また、引込機構３０にケーブル３２等を介して連結される電池蓋４０により電池ボックス２０の開口部２２を閉塞する場合には、引込機構３０の巻取用付勢部材の付勢力によりケーブル３２がハウジング３１の内部に引き込まれるので、電池蓋４０と開口部２２との間にケーブル３２が噛み込まれることもない。
【００５０】
さらに、電池Ｂの交換作業の際に、誤って電池蓋４０を開いたままバーコードリーダ１０を落下させたとしても、ケーブル３２がハウジング３１の内部に引き込まれるので、電池蓋４０が閉塞状態または閉塞に近い状態で落下する。このため、電池蓋４０が開いた状態で落下する場合と比較して、電池蓋４０に加わる落下による衝撃が小さくなるので、電池蓋４０の破損を防止することができる。
【００５１】
また、電池Ｂの交換作業の際にケーブル３２が邪魔になる場合には、ケーブル側コネクタ３３と蓋側コネクタ５０との係合を解除してケーブル３２をハウジング３１の内部に引き込ませることにより、電池交換の作業性が向上する。
したがって、電池蓋４０の紛失および破損を防止するとともに電池交換の作業性向上を図ることができる。
【００５２】
また、本第１実施形態に係るバーコードリーダ１０では、引込機構３０は、回転自在に支持されケーブル３２の他側端が固定される巻取軸と、この巻取軸を巻取回転方向に付勢するぜんまいばね等の巻取用付勢部材とを備えている。そして、当該引込機構３０は、巻取用付勢部材により巻取軸を巻取回転方向に付勢して回転させることによりケーブル３２をハウジング３１の内部に引き込み可能に構成されている。
【００５３】
これにより、モータ等の駆動源を用いることなくケーブル３２をハウジング３１の内部に引き込むことができるので、引込機構３０を採用することによるバーコードリーダ１０の製造コストの増加および大型化を抑制することができる。
【００５４】
さらに、本第１実施形態に係るバーコードリーダ１０では、蓋側コネクタ５０には挿入用開口部５１が形成されるとともに、ケーブル側コネクタ３３には挿入用開口部５１に挿入可能なコネクタ本体３３ａが設けられている。そして、挿入用開口部５１の挿入側には、挿入方向に挿入されるコネクタ本体３３ａを案内可能な傾斜面５２ａと、傾斜面５２ａにより案内されて係合したコネクタ本体３３ａの底面３３ｃに当接して当該コネクタ本体３３ａの反挿入方向への移動を抑制可能な抜止面５２ｂと、を有する２つの突出部５２が形成されている。
【００５５】
このように、傾斜面５２ａを有する突出部５２が、挿入用開口部５１の挿入側にそれぞれ形成されているので、突出部５２を形成する場合であってもコネクタ本体３３ａが突出部５２を乗り越えることが容易になり、ケーブル側コネクタ３３と蓋側コネクタ５０とを容易に係合させることができる。
【００５６】
一方、両突出部５２は、上述のように挿入用開口部５１に係合したコネクタ本体３３ａの底面３３ｃに当接して当該コネクタ本体３３ａの反挿入方向への移動を抑制可能な抜止面５２ｂを有している。これにより、意図しないケーブル側コネクタ３３および蓋側コネクタ５０の係合の解除を抑制することができる。
【００５７】
なお、両突出部５２の抜止面５２ｂを傾斜させることにより、ケーブル３２が所定の引張力以上の力で引き込み側に引っ張られるときに、コネクタ本体３３ａが両突出部５２を乗り越えて、蓋側コネクタ５０とケーブル側コネクタ３３との係合が解除されるようにしてもよい。
【００５８】
また、突出部５２は、挿入用開口部５１の開口端側の内周面に２つ設けられることに限らず、１つまたは３つ以上設けられてもよい。
【００５９】
さらに、本第１実施形態に係るバーコードリーダ１０では、蓋側コネクタ５０には、挿入用開口部５１の側面を構成する周壁の外周面であって、両突出部５２に対して反挿入側には、２つの突起５３が互いに逆方向に突出するように形成されている。このため、両突起５３を互いに近接させる方向に押圧することにより、両突起５３が形成される周壁の部位の挿入側に外方（図３でα方向）への反りが生じる。この反りが生じる挿入側には両突出部５２が形成されているので、この反りに応じて両突出部５２がそれぞれ外方へ移動することとなり、ケーブル側コネクタ３３および蓋側コネクタ５０の係合とその解除とを容易にすることができる。
【００６０】
図６は、第１実施形態の変形例におけるバーコードリーダ１０の構成概要を示す一部断面図である。
本第１実施形態に係るバーコードリーダ１０の変形例として、図６に示すように、電池Ｂを空間部２１から取り出すときに使用者により引き起こされる当該電池Ｂの引起部Ｂａが上端側になる場合には、引込機構３０を電池Ｂの引起部Ｂａから離間させるために電池ボックス２０の下端側に配置するようにしてもよい。また、引込機構３０を電池Ｂの引起部Ｂａから離間する位置に配置してもよい。
【００６１】
これにより、ケーブル３２等を介して電池蓋４０と電池ボックス２０とが連結されている場合であっても、電池Ｂを空間部２１から取り出す際にケーブル３２が邪魔になることもない。また、電池Ｂの交換作業の際にケーブル３２に無理な力が加わることを防止することができる。
【００６２】
［第２実施形態］
次に、本発明の第２実施形態に係るバーコードリーダについて図７を参照して説明する。図７は、第２実施形態における蓋側コネクタ６０およびケーブル側コネクタ７０を示す斜視図である。
【００６３】
本第２実施形態に係るバーコードリーダ１０では、上記第１実施形態にて述べた蓋側コネクタ５０およびケーブル側コネクタ３３に代えて、蓋側コネクタ６０およびケーブル側コネクタ７０を採用する点が、上記第１実施形態に係るバーコードリーダと異なる。したがって、第１実施形態のバーコードリーダと実質的に同一の構成部分には、同一符号を付し、その説明を省略する。
【００６４】
図７に示すように、蓋側コネクタ６０は、挿入用開口部６１が形成されるとともに、この挿入用開口部６１の反挿入側の内周面には２つの凹部６２が互いに対向するように形成されている。なお、蓋側コネクタ６０およびケーブル側コネクタ７０は、例えば、ＡＢＳ樹脂等の合成樹脂からなる。
【００６５】
また、ケーブル側コネクタ７０は、略直方体状のコネクタ本体７１と、ケーブル３２の一側端に連結される円柱状の連結部７２とが一体となって形成されている。コネクタ本体７１の側面には、挿入用開口部６１に当該コネクタ本体７１を挿入するとき両凹部６２に嵌合可能な一対の凸部７１ａが互いに外方に突出するように形成されている。
【００６６】
このように構成される蓋側コネクタ６０は、上記第１実施形態にて述べた電池蓋４０の裏面４０ａに固定されるとともに、ケーブル側コネクタ７０は、上記第１実施形態にて述べた引込機構３０のハウジング３１から引き出されるケーブル３２の一側端に連結される。
【００６７】
蓋側コネクタ６０とケーブル側コネクタ７０とを係合する場合には、コネクタ本体７１を挿入用開口部６１に挿入してコネクタ本体７１の両凸部７１ａを挿入用開口部６１の両凹部６２に嵌合させる。これにより、蓋側コネクタ６０およびケーブル側コネクタ７０が係合されて電池蓋４０と引込機構３０とが連結されることとなる。
【００６８】
以上説明したように、本第２実施形態に係るバーコードリーダ１０では、蓋側コネクタ６０には挿入用開口部６１が形成されるとともにケーブル側コネクタ７０には挿入用開口部６１に挿入可能なコネクタ本体７１が形成されている。そして、蓋側コネクタ６０およびケーブル側コネクタ７０は、コネクタ本体７１の側面に形成される２つの凸部７１ａが挿入用開口部６１の内周面に形成される２つの凹部６２に嵌合することにより、係合する。
【００６９】
このように、両凸部７１ａと両凹部６２とを嵌合させることにより、蓋側コネクタ６０およびケーブル側コネクタ７０とを確実に係合させることができる。なお、凹部６２は、挿入用開口部６１の内周面を貫通する貫通部として形成されてもよい。また、コネクタ本体７１の側面に両凸部７１ａに代えて２つの凹部を形成するとともに、挿入用開口部６１に両凹部６２に代えて上記凹部に嵌合可能な両２つの凸部を形成してもよい。また、凸部７１ａおよび凹部６２は、それぞれ１箇所だけ形成されてもよいし、３箇所以上形成されてもよい。
【００７０】
なお、本発明は上記各実施形態に限定されるものではなく、以下のように具体化してもよく、その場合でも、上記各実施形態と同等の作用・効果が得られる。
（１）引込機構３０は、上述したように、巻取軸とこの巻取軸を巻取回転方向に付勢するぜんまいばね等の巻取用付勢部材とによりケーブル３２を出し入れ可能に構成されることに限らず、例えば、モータ等の駆動源を用いてケーブル３２を出し入れ可能に構成されてもよい。
【００７１】
（２）ケーブル３２は、伸縮可能に形成されてもよい。これにより、ケーブル３２をハウジング３１の内部から引き出す場合には当該ケーブル３２が伸長し、ケーブル３２をハウジング３１の内部に引き込む場合には伸長したケーブル３２が短縮して元の長さに戻る。このため、ケーブル３２をハウジング３１の内部に引き込みやすくなり、上述したケーブル３２の噛み込みを確実に防止することができる。
【００７２】
特に、引張力が作用しない状態ではハウジング３１の内部に収まる長さのケーブル３２を採用した場合には、上述したモータ等の駆動源や巻取軸を付勢する巻取用付勢部材等を採用することなく、引込機構３０を構成することができ、引込機構３０を採用することによるバーコードリーダ１０の製造コストの増加および大型化をさらに抑制することができる。
【００７３】
（３）電池蓋４０に固定される蓋側コネクタ５０，６０は、電池蓋４０に対して別体として成形されてもよいし、一体成形されてもよい。
【００７４】
（４）上記第１実施形態において、ケーブル側コネクタ３３のコネクタ本体３３ａは、略直方体状に形成されることに限らず、例えば、円柱状に形成されてもよい。このとき、蓋側コネクタ５０には、このコネクタ本体が挿入可能な挿入用開口部が形成される。また、上記第２実施形態において、ケーブル側コネクタ７０のコネクタ本体７１も同様に円柱状に形成されてもよい。このとき、蓋側コネクタ６０には、このコネクタ本体が挿入可能な挿入用開口部が形成される。
【００７５】
（５）引込機構３０および電池蓋４０は、１本のケーブル３２にて連結されることに限らず、複数のケーブルにて連結されてもよい。
【００７６】
（６）なお、上述した各実施形態では、情報端末装置として、バーコードリーダ１０を例示して説明したが、これに限られることはなく、電力供給源として電池を収容可能な電池収容部を備えた、情報処理が可能な端末装置であれば、例えば、ＰＤＡ、ハンディターミナル、ハンドヘルドコンピュータ、ノート型パーソナルコンピュータ等であっても、上述と同様に作用および効果を得ることができる。
【図面の簡単な説明】
【００７７】
【図１】本第１実施形態に係るバーコードリーダの構成概要を示す側面図である。
【図２】図２（Ａ）は、閉塞状態の電池蓋および電池ボックスを示す一部断面図であり、図２（Ｂ）は、開放状態の電池蓋および電池ボックスを示す一部断面図である。
【図３】蓋側コネクタおよびケーブル側コネクタを示す斜視図である。
【図４】図４（Ａ）、図４（Ｂ）は、電池Ｂの交換作業を説明するための説明図の一部である。
【図５】図５（Ｃ）、図５（Ｄ）は、電池Ｂの交換作業を説明するための説明図の一部である。
【図６】第１実施形態の変形例におけるバーコードリーダの構成概要を示す一部断面図である。
【図７】第２実施形態における蓋側コネクタおよびケーブル側コネクタを示す斜視図である。
【符号の説明】
【００７８】
１０…バーコードリーダ（情報端末装置）
２０…電池ボックス（電池収容部）
２１…空間部
２２…開口部
３０…引込機構
３２…ケーブル
３３，７０…ケーブル側コネクタ（係合部材）
４０…電池蓋
５０，６０…蓋側コネクタ（被係合部材）
５１，６１…挿入用開口部
５２…突出部
５２ａ…傾斜面（案内面）
５２ｂ…抜止面
５３…突起
６２…凹部
７１ａ…凸部
【図１】
2010003428.tif 000003
【図２】
2010003428.tif 000004
【図３】
2010003428.tif 000005
【図４】
2010003428.tif 000006
【図５】
2010003428.tif 000007
【図６】
2010003428.tif 000008
【図７】
2010003428.tif 000009